(57)【要約】【課題】揮発性の化学物質で汚染された室内の空気をより少ない消費電力で換気することができる換気システムを提供する。【解決手段】換気装置１は、室外から室内空間１００に外気を取り入れる吸気部１１と、室内空間１００の空気を室外に排気する排気部１２を備える。空調装置３は室内空間１００の室温を調節する。制御装置４は、空調装置３の動作を制御して、冷暖房時の設定温度範囲よりも高い所定の第１温度以上に室温を上昇させる加温制御を行う。制御装置４は、加温制御を行っている状態で、設定温度範囲よりも高く且つ第１温度よりも低い所定の第２温度を、温度センサ２によって測定された室温が超えた分の積算値が所定の閾値以上になると、加温制御を終了する。制御装置４は、加温制御を終了すると吸気部１１および排気部１２をそれぞれ動作させる換気制御を行い、揮発した化学物質で汚染された空気を室外に排気する。【選択図】図１
2015137774.tif 000002
【特許請求の範囲】
【請求項１】
室外から室内空間に外気を取り入れる吸気部および前記室内空間の空気を室外に排気する排気部を備えた換気装置と、
前記室内空間の室温を測定する測定装置と、
前記室内空間の室温を調節する空調装置と、
前記換気装置および前記空調装置の動作をそれぞれ制御する制御装置を備え、
前記制御装置は、前記空調装置の動作を制御して、冷暖房時の設定温度範囲よりも高い所定の第１温度以上に室温を上昇させる加温制御を行うように構成され、
前記制御装置は、前記加温制御を行っている状態で、前記設定温度範囲よりも高く且つ前記第１温度よりも低い所定の第２温度を、前記測定装置によって測定された室温が超えた分の積算値が所定の閾値以上になると、前記加温制御を終了して、前記吸気部および前記排気部をそれぞれ動作させる換気制御を行うように構成されたことを特徴とする換気システム。
【請求項２】
室外の外気温度を取得する外気温取得部を備え、
前記外気温取得部が取得した外気温度が前記第１温度以上であれば、前記制御装置は、前記空調装置を動作させず、前記吸気部を動作させることによって、前記加温制御を行うように構成されたことを特徴とする請求項１記載の換気システム。
【請求項３】
室外の外気温度を取得する外気温取得部を備え、
前記外気温取得部が取得した外気温度が、前記第２温度よりも低い所定の第３温度以下であれば、前記制御装置は前記加温制御を行わないように構成されたことを特徴とする請求項１又は２の何れかに記載の換気システム。
【請求項４】
前記室内空間に人が存在するか否かを検知する人検知部を備え、
前記人検知部が人の存在を検知している間は、前記制御装置は、前記加温制御を行わないように構成されたことを特徴とする請求項１乃至３の何れか１項に記載の換気システム。
【請求項５】
前記制御装置が、前記加温制御および前記換気制御の実施状況を外部に配信する情報配信機能を備えたことを特徴とする請求項１乃至４の何れか１項に記載の換気システム。
【請求項６】
前記制御装置の前記情報配信機能によって配信された前記加温制御および前記換気制御の実施状況を表示する表示装置を備えたことを特徴とする請求項５記載の換気システム。
【請求項７】
前記空調装置および前記換気装置を遠隔操作するための操作装置を備え、
前記制御装置は、前記操作装置から送信された制御信号に基づいて、前記空調装置および前記換気装置の動作を制御することを特徴とする請求項１乃至６の何れか１項に記載の換気システム。
【発明の詳細な説明】
【技術分野】
【０００１】
本発明は、換気システムに関し、より詳細には、建材や什器などから発生した空気中の化学物質を室外に排出する換気システムに関する。
【背景技術】
【０００２】
近年、冷暖房の効率を向上させるために建物の高気密化が進んだことに伴って、建材や什器などから発生した揮発性の化学物質による室内空気の汚染が問題になっている。揮発性の化学物質で汚染された空気を人が吸い込むと、人の健康に悪影響を及ぼす可能性もあるため、室内を換気することで、揮発した化学物質を外部に排出するようにした室内換気システムが提案されている（例えば特許文献１参照）。この室内換気システムでは、消費電力を低減するために、換気扇装置の運転を開始した時からの経過時間が増加するにつれて、換気扇装置の換気量を減少させている。また、過去の室温の平均値が高いほど、より多くの有機化合物が揮発して、換気されていると考えられるので、特許文献１の室内換気システムでは、過去の室温の平均値が高いほど、換気扇装置の換気量を減少させている。
【先行技術文献】
【特許文献】
【０００３】
【特許文献１】特開２００４−２７８９３６号公報
【発明の概要】
【発明が解決しようとする課題】
【０００４】
上述した特許文献１の室内換気システムでは、運転開始からの経過時間が増加するにつれて、換気扇装置の換気量を減少させることによって、消費電力の低減を図っているが、換気扇装置を動かし続けているため、結局は多くの電力が消費されるという問題があった。また、特許文献１の室内換気システムでは、常温で揮発する有機化合物を換気しているので、長期間にわたって有機化合物が揮発する可能性があり、室内換気システムを長期間稼働させる必要があるため、電力の消費量が多くなっていた。
【０００５】
本発明は上記課題に鑑みて為され、揮発性の化学物質で汚染された室内の空気をより少ない消費電力で換気することができる換気システムを提供することを目的とする。
【課題を解決するための手段】
【０００６】
本発明の換気システムは、換気装置と、測定装置と、空調装置と、制御装置を備える。前記換気装置は、室外から室内空間に外気を取り入れる吸気部および前記室内空間の空気を室外に排気する排気部を備える。前記測定装置は前記室内空間の室温を測定する。前記空調装置は前記室内空間の室温を調節する。前記制御装置は、前記換気装置および前記空調装置の動作をそれぞれ制御する。前記制御装置は、前記空調装置の動作を制御して、冷暖房時の設定温度範囲よりも高い所定の第１温度以上に室温を上昇させる加温制御を行うように構成される。前記制御装置は、前記加温制御を行っている状態で、前記設定温度範囲よりも高く且つ前記第１温度よりも低い所定の第２温度を、前記測定装置によって測定された室温が超えた分の積算値が所定の閾値以上になると、前記加温制御を終了して、前記吸気部および前記排気部をそれぞれ動作させる換気制御を行うように構成される。
【０００７】
この換気システムにおいて、室外の外気温度を取得する外気温取得部を備えてもよい。前記外気温取得部が取得した外気温度が前記第１温度以上であれば、前記制御装置は、前記空調装置を動作させず、前記吸気部を動作させることによって、前記加温制御を行うように構成される。
【０００８】
この換気システムにおいて、室外の外気温度を取得する外気温取得部を備えてもよい。前記外気温取得部が取得した外気温度が、前記第２温度よりも低い所定の第３温度以下であれば、前記制御装置は前記加温制御を行わないように構成される。
【０００９】
この換気システムにおいて、前記室内空間に人が存在するか否かを検知する人検知部を備え、前記人検知部が人の存在を検知している間は、前記制御装置は、前記加温制御を行わないように構成されることも好ましい。
【００１０】
この換気システムにおいて、前記制御装置が、前記加温制御および前記換気制御の実施状況を外部に配信する情報配信機能を備えることも好ましい。
【００１１】
この換気システムにおいて、前記制御装置の前記情報配信機能によって配信された前記加温制御および前記換気制御の実施状況を表示する表示装置を備えることも好ましい。
【００１２】
この換気システムにおいて、前記空調装置および前記換気装置を遠隔操作するための操作装置を備え、前記制御装置は、前記操作装置から送信された制御信号に基づいて、前記空調装置および前記換気装置の動作を制御することも好ましい。
【発明の効果】
【００１３】
本発明によれば、加温制御を行って室内空間の室温を第１温度以上に上昇させることで、室温が設定温度範囲に調整される場合に比べて、室内空間にある建材や什器などから揮発性化学物質の揮発を促すことができる。そして、加温制御を行って建材や什器などから揮発性化学物質を揮発させた状態で換気制御が行われるので、揮発した化学物質を室内空間の室外に排出することができる。したがって、室内空間にある建材や什器などに残留する揮発性化学物質の量を低減でき、室内空間の空気の汚染を低減することができる。また、制御装置は、加温制御を行って揮発性化学物質の揮発を促進させる間は換気制御を停止させ、換気制御を行う間は加温制御を停止させているので、揮発性化学物質で汚染された室内の空気をより少ない消費電力で換気することができる。
【図面の簡単な説明】
【００１４】
【図１】本実施形態の換気システムのシステム構成図である。
【図２】本実施形態の換気システムの動作を説明するフローチャートである。
【図３】本実施形態の換気システムの動作を説明するタイムチャートである。
【図４】本実施形態の換気システムによる加温制御時の室温の変化を示す図である。
【図５】本実施形態の換気システムの別の構成を示すシステム構成図である。
【図６】本実施形態の換気システムのまた別の構成を示すシステム構成図である。
【発明を実施するための形態】
【００１５】
本発明に係る換気システムの実施形態を図面に基づいて説明する。
【００１６】
建物の部屋に用いられる建材や部屋内で使用される什器などには、接着剤、塗料の溶剤、防腐剤などの用途として、様々な揮発性の化学物質が使用されている。建材や什器などに含まれた揮発性の化学物質は常温でも揮発しやすく、これらの化学物質は室内の空気中に気体として存在するため、化学物質で汚染された空気を人が吸い込むと、人の健康を害する可能性がある。本実施形態の換気システムは、揮発性の化学物質で汚染された室内空間の空気を換気し、室内の空気中に存在する揮発性の化学物質を低減するために使用される。なお、ＷＨＯ（世界保健機関）は、有機性室内空気汚染化学物質を沸点によって分類している。有機性室内空気汚染化学物質のうち、沸点が５０℃〜２６０℃の化学物質（例えばトルエン、キシレン、エチルベンゼンなど）は揮発性有機化合物（ＶＯＣ：Volatile Organic Compounds）に分類される。また、有機性室内空気汚染化学物質のうちＶＯＣよりも沸点が低い化学物質（例えばホルムアルデヒドやアセトアルデヒド）は超揮発性有機化合物（ＶＶＯＣ：Very Volatile Organic Compounds）に分類されている。以下では、揮発性有機化合物や超揮発性有機化合物を総称して揮発性化学物質と言う。
【００１７】
図１は本実施形態の換気システムの概略的なシステム構成図である。この換気システムは、換気装置１と、測定装置たる温度センサ２と、空調装置３と、制御装置４を備える。また、本実施形態の換気システムは、上記の構成に加えて、操作機能および表示機能を備えた操作端末５も備えている。
【００１８】
換気装置１は、周りを壁で囲まれた室内空間１００の換気を行うためのものであり、吸気部１１と排気部１２を備える。吸気部１１は、室外から室内空間１００に外気を取り入れるための送風機である。排気部１２は、室内空間１００の空気を室外に排気するための送風機である。                                                    
【００１９】
温度センサ２は、例えばサーミスタなどの感温素子で室内空間１００の室温を測定し、測定した室温のデータを制御装置４に出力する。
【００２０】
空調装置３は、例えば室内空間１００の冷暖房を行うエアコンディショナからなり、ユーザが設定器（図示せず）を用いて設定した温度又は湿度の条件に室内空間１００の空気環境を調整する。
【００２１】
制御装置４は、換気装置１および空調装置３の動作をそれぞれ制御する。制御装置４は、インターネットのような広域通信網１１０に接続する通信機能を有し、広域通信網１１０を介してサーバ１２０とデータ通信が行えるように構成されている。
【００２２】
操作端末５は、文字や画像を表示する液晶ディスプレイと、タッチパネルなどの入力デバイスを備えたユーザインタフェースである。操作端末５は、例えば、換気システムのために専用に用意されたタッチパネル付きのディスプレイ装置や、汎用のタブレット端末や携帯電話機やスマートフォンからなる。操作端末５は、制御装置４から入力される表示データを表示し、ユーザが入力したデータを制御装置４に出力する。
【００２３】
この換気システムにより、室内空間１００を暖めて揮発性化学物質の揮発を促し、揮発した化学物質を室外に排出する動作（以下、この動作を空気浄化動作という。）について、図２−図４を参照して説明する。図２は空気浄化動作のフローチャートである。図３は空調装置３および換気装置１の動作を示すタイムチャートである。図４は制御装置４が加温制御を行った場合の室温の温度変化を示す図である。
【００２４】
例えば住人が操作端末５を用いて空気浄化動作を開始させる操作を行うと、空気浄化動作を開始させる信号が操作端末５から制御装置４に送信され、制御装置４が空気浄化動作を開始する。なお、制御装置４に、空気浄化動作を行う時間帯が予め設定されており、毎日或いは数日おきに設定された時間帯になると、制御装置４が空気浄化制御を開始するようにしてもよい。
【００２５】
制御装置４は、空気浄化制御を開始すると、例えば空調装置３から室外機（図示せず）が備える外気温度検出用の温度センサによって測定された外気温度ＴＯ１を取得する（図２のステップＳ１）。ここにおいて、制御装置４が、室外の外気温度を取得する外気温度取得部の機能を有している。
【００２６】
制御装置４は、空気浄化処理を行うか否かを判定する際に用いる第３温度Ｔ３をメモリ（図示せず）に記憶させており、メモリから読み出した第３温度Ｔ３を設定する（ステップＳ２）。この第３温度Ｔ３は、揮発性化学物質が揮発しやすくなる温度（後述の第１温度Ｔ１）まで室内空間１００を暖めるのに必要なエネルギーが過大になるような外気温度であって、例えば２０℃に設定されている。
制御装置４は、ステップＳ１で空調装置３から取得した外気温度ＴＯ１と、ステップＳ２で設定した第３温度Ｔ３との高低を比較する（ステップＳ３）。
【００２７】
外気温度ＴＯ１が第３温度Ｔ３よりも高い場合（ステップＳ３のＹｅｓ）、制御装置４は、外気温度ＴＯ１と第１温度Ｔ１との高低を比較し（ステップＳ４）、比較結果に応じて空気浄化制御の制御モードを第１モードおよび第２モードのうちの何れかに切り替える。この第１温度Ｔ１は、冷暖房時に設定される空調装置３の設定温度範囲Ｗ１（例えば１６℃以上且つ３０℃以下）よりも高い温度であって、空調装置３の暖房能力で調整可能な上限温度（例えば３２℃）に設定されている。なお、第１温度Ｔ１は、空調装置３の設定温度範囲Ｗ１の上限値より一定温度だけ高い温度に設定されてもよいし、設定温度範囲Ｗ１よりも高い任意の温度に設定されてもよい。
【００２８】
ステップＳ４の判定の結果、外気温度ＴＯ１が第１温度Ｔ１よりも低ければ（ステップＳ４のＮｏ）、制御装置４は第１モードで空気浄化制御を行う（ステップＳ５）。一方、外気温度ＴＯ１が第１温度Ｔ１以上であれば（ステップＳ４のＹｅｓ）、制御装置４は第２モードで空気浄化処理を行う（ステップＳ６）。第１モードの空気浄化制御では、空調装置３で室内空間１００の空気を暖めることによって揮発性化学物質の揮発を促した後に、室内空間１００の空気を排気する。第２モードの空気浄化制御では、第１温度Ｔ１以上の外気を室内空間１００に取り込むことによって室内空間１００を暖めて、揮発性化学物質の揮発を促した後に、室内空間１００の空気を排気する。
【００２９】
ここで、制御装置４が第１モードで空気浄化制御を行う場合について図３および図４を参照して説明する。図３および図４の時刻ｔ１において空気浄化制御が開始されたとすると、第１モードの空気浄化制御では、制御装置４は、換気装置１を停止させた状態で、空調装置３の動作を制御して、冷暖房時の設定温度範囲よりも高い所定の第１温度Ｔ１以上に室温を上昇させる加温制御を行う。また制御装置４は、例えば「現在の温度はＶＯＣが揮発しやすい温度環境になっています。」との警告メッセージを表示させる制御命令を操作端末５に出力しており、操作端末５は制御装置４からの制御命令に基づいて液晶ディスプレイに警告メッセージを表示する。操作端末５の液晶ディスプレイに警告メッセージを表示させることによって、室内空間１００にいる人物に室内空間１００の外に出るよう促すことができ、室内空間１００にいる人物が揮発性化学物質で汚染された空気を吸い込まないようにできる。
【００３０】
制御装置４が、空調装置３の動作を制御して加温制御を行うと、図４に示すように室内空間１００の室温が徐々に上昇し、やがて第１温度Ｔ１で安定する。空調装置３によって室温が冷暖房時に設定される温度よりも高い温度に調整されると、通常の設定温度範囲Ｗ１に温度調整されている場合に比べて、建材や什器などに含まれた揮発性化学物質が揮発しやすくなる。したがって、制御装置４が加温制御を行って、室温が通常の冷暖房時よりも高めの温度に調整される間に、室内空間１００の建材や什器などに含まれた揮発性化学物質の揮発が促進され、室内空間１００の空気中に揮発した化学物質が存在することになる。
【００３１】
制御装置４は、加温制御を行っている状態で、第１温度Ｔ１よりも低い所定の第２温度Ｔ２を室温が超えた分（図４のハッチング部分Ａ１）の積算値が所定の閾値以上になった時刻ｔ２において、制御装置４が加温制御を終了し、空調装置３を停止させる。制御装置４は、空調装置３を停止させた後で、換気装置１の吸気部１１および排気部１２をそれぞれ動作させ、室外から室内空間１００に外気を取り入れつつ、室内空間１００の空気を室外に排出しており、揮発した化学物質を室外に排出する。空調装置３が停止し、室内空間１００の換気が行われると、室内空間１００の室温が徐々に低下するので、建材や什器などに含まれる揮発性化学物質は揮発しにくくなる。制御装置４は、時刻ｔ２から所定時間（例えば３０分）が経過した時刻ｔ３において、換気装置１の動作を停止させ、再び加温制御を行う。
【００３２】
すなわち、時刻ｔ３がくると、制御装置４は、空調装置３の動作を制御して第１温度Ｔ１以上に室温を上昇させる加温制御を行い、この期間に室内空間１００の建材や什器などに含まれた揮発性化学物質を揮発させる。その後、加温制御を行っている状態で、第２温度Ｔ２を室温が超えた分の積算値が所定の閾値以上になった時刻ｔ４において、制御装置４は加温制御を終了し、空調装置３を停止させる。制御装置４は、空調装置３を停止させた後で、換気装置１の吸気部１１および排気部１２をそれぞれ動作させ、室外から室内空間１００に外気を取り入れつつ、室内空間１００の空気を室外に排出しており、揮発した化学物質を室外に排出する。制御装置４は、換気装置１を動作させてから所定時間（例えば３０分）が経過した時刻ｔ５において、換気装置１を停止させる。
【００３３】
このように、第１モードの空気浄化制御では、制御装置４は、空調装置３の動作を制御して室温を第１温度Ｔ１まで暖める加温制御を行って揮発性化学物質を揮発させた後、換気装置１によって室内空間１００の空気を換気する動作を２回繰り返している。その結果、室内空間１００にある建材や什器などに残留する揮発性化学物質の総量が減少するから、その後、建材や什器などから揮発性化学物質が揮発する量が抑制され、室内空間の空気の汚染を低減できる。なお本実施形態では、第１モードの空気浄化制御において、制御装置４が、加温制御を行った後に換気制御を行う制御ルーチンを２回繰り返しているが、加温制御を行った後に換気制御を行う制御ルーチンを３回以上繰り返してもよい。
【００３４】
次に、第２モードでの空気浄化制御について説明する。第２モードの空気浄化制御では、制御装置４は、空調装置３を停止させた状態で換気装置１を動作させ、吸気部１１により室外から室内空間１００に外気を取り入れつつ、排気部１２により室内空間１００の空気を室外に排気する。また、制御装置４は、例えば「現在の温度はＶＯＣが揮発しやすい温度環境になっています。」との警告メッセージを表示させる制御命令を操作端末５に出力しており、操作端末５は制御装置４からの制御命令に基づいて液晶ディスプレイに警告メッセージを表示する。制御装置４は、第２モードの空気浄化制御を開始してから所定時間（例えば３時間）が経過すると、換気装置１を停止させて、第２モードの空気浄化制御を終了する。
【００３５】
このように、外気温度が第１温度Ｔ１以上であれば、制御装置４は空調装置３を動作させず、外気を取り入れることで室内空間１００を暖めているので、この換気システムが空気浄化制御を行うのに必要な電力を低減できる。
【００３６】
また、ステップＳ３の判定で、外気温度ＴＯ１が第３温度Ｔ３以下になっていれば（ステップＳ３のＮｏ）、制御装置４は、空気浄化制御を停止して（ステップＳ７）、動作を終了する。外気温度ＴＯ１が第３温度Ｔ３以下の場合、室温を第１温度Ｔ１以上に暖めるために空調装置３が消費する電力が過大になる。また、外気温度ＴＯ１が第３温度Ｔ３以下であれば、室温も低く、建材や什器などから揮発性化学物質が揮発しにくい状態であると予想される。したがって、外気温度ＴＯ１が第３温度Ｔ３以下の場合、制御装置４が空気浄化制御を停止することで、換気システムによる電力の消費量を低減することができる。
【００３７】
ここで、制御装置４は、第３温度Ｔ３として予め設定された温度を使用してもよいし、この建物がある地域の過去の気象データから演算により求めてもよい。サーバ１２０には各地の過去の気象観測データが蓄積されているものとする。制御装置４は、広域通信網１１０を経由してサーバ１２０にアクセスし、建物がある地域の同月の気温データ（日ごとの最高気温および最低気温）を過去数年分にわたってサーバ１２０から取得する。制御装置４は、サーバ１２０から取得した過去の気温データより、当日を含む一定期間の最高気温、最低気温を抽出し、この一定期間における平均最高気温Ｔａ１と平均最低気温Ｔａ２を算出する。そして、制御装置４は、一定期間における平均最高気温Ｔａ１および平均最低気温Ｔａ２と、任意の係数ｃとを用い、以下の式（１）により第３温度Ｔ３を算出する。
【００３８】
Ｔ３＝Ｔａ２＋（Ｔａ１−Ｔａ２）×ｃ    …（１）
例えば、現在の日が９月１日であり、例えば９月１日から９月５日までの一定期間について過去数年間の平均最高気温Ｔａ１が２６．４℃、平均最低気温Ｔａ２が１７．２℃であり、係数ｃを０．４とすると、第３温度Ｔ３は約２０．９℃と算出される。このように、制御装置４が、建物のある地域の過去の気象観測データをもとに、上記の演算を行うことによって第３温度Ｔ３を設定すれば、空気浄化処理を行うか否かを判定するための第３温度Ｔ３を各地域の気候条件に合わせて設定することができる。尚、係数ｃの値を大きめの値にすれば、第３温度Ｔ３は高めに設定されるので、空調装置３が加温制御を行う際に必要な消費電力が低減される。また、制御装置４が、サーバ１２０から天気予報の情報（例えば時間ごとの予想気温）を取得し、予想最高気温と予想最低気温と係数ｃを用いて演算により第３温度Ｔ３を設定してもよい。
【００３９】
ところで、第１モードの空気浄化制御を実行中であって、換気装置１による換気中に外気温度ＴＯ１が第３温度Ｔ３以下に低下した場合、制御装置４は、換気装置１に所定の設定時間まで換気動作を行わせた後に空気浄化制御を停止すればよい。制御装置４は、換気装置１の換気動作を継続させているので、空調装置３が加温制御を行うことによって揮発した化学物質を室外に排出することができる。
【００４０】
また、第１モードの空気浄化制御を実行中であって、空調装置３による加温制御を行っている間に外気温度ＴＯ１が第３温度Ｔ３以下に低下した場合、制御装置４は、加温制御を即座に停止する。そして、制御装置４は、換気装置１に所定の設定時間だけ換気動作を行わせてから、空気浄化制御を停止すればよい。制御装置４は、空調装置３による加温制御を即座に停止させた後、換気装置１に所定の設定時間だけ換気動作を行わせているので、空調装置３が加温制御を行うことによって揮発した化学物質を室外に排出することができる。
【００４１】
また、本実施形態の換気システムにおいて、図５に示すように室内空間１００に人が存在するか否かを検知する人検知部６を備え、人検知部６が人の存在を検知している間は、制御装置４が、加温制御を行わないようにすることも好ましい。
【００４２】
人検知部６は、人体から放射される熱線を感知する焦電型の赤外線感知素子を備える。人検知部６は、赤外線感知素子を用いて室内空間１００に人が存在するか否かを検知し、その検知結果を制御装置４に出力する。なお、人検知部６は赤外線感知素子を用いるものに限定されない。例えば人検知部６は室内空間１００への出入り口を撮影する画像センサを用い、画像センサで撮影した画像を画像処理することによって人の出入りを検出し、その結果から室内空間１００における人の存否を検知してもよい。また、人検知部６は、室内空間１００への入室および退出を管理するセキュリティシステム（図示せず）から人の入室および退出を検知した情報をもとに、室内空間１００における人の存否を検知してもよい。
【００４３】
制御装置４は、人検知部６の検知結果をもとに、人検知部６が人の存在を検知している場合は、第１モードの空気浄化制御を行う際に加温制御を行わないように構成される。室内空間１００に人が存在する状態で、制御装置４が加温制御を行って室温を上昇させると、室内空間１００にある建材や什器などに含まれる揮発性化学物質の揮発が促進され、室内空間１００にいる人の健康を害する可能性がある。そこで、人検知部６が人の存在を検知している場合は、制御装置４が、室温を上昇させる加温制御を行わないようにすることで、室内空間１００にいる人の健康に悪影響を与えないようにすることができる。なお、制御装置４が、空調装置３に加温制御を行わせている途中で、人検知部６が人を検知した場合、空調装置３の動作を停止させて、換気装置１に室内空間１００の空気を換気させる動作を行わせればよい。空調装置３の動作を停止させることで、室内空間１００にある建材や什器などから揮発性化学物質が揮発しにくくなる。そして、換気装置１に室内空間１００の換気を行わせることで、空気中の化学物質が室外に排出されるから、室内空間１００にいる人の健康を損なう可能性が低減される。この場合に、制御装置４は、換気装置１による換気量を通常より増やしてもよく、化学物質で汚染された空気を速やかに排気することができる。
【００４４】
また本実施形態の換気システムにおいて、制御装置４が、加温制御および換気制御の実施状況を外部に配信する情報配信機能を備えてもよい。
【００４５】
制御装置４は、加温制御および換気制御を実施すると、その実施状況をサーバ１２０に送信するので、室内空間１００での加温制御および換気制御の実施状況をサーバ１２０側で把握することができる。
【００４６】
この換気システムにおいて、図６に示すように、制御装置４の情報配信機能によって配信された加温制御および換気制御の実施状況を表示する表示装置１３０を備えてもよい。サーバ１２０は、制御装置４の情報配信機能によって室内空間１００での加温制御および換気制御の実施状況が配信されると、送信先として予め登録された表示装置１３０に、制御装置４から配信された加温制御および換気制御の実施状況を転送する。表示装置１３０は、広域通信網１１０に接続可能なタブレット端末又はスマートフォンからなり、サーバ１２０から受信した室内空間１００での加温制御および換気制御の実施状況をディスプレイ画面に表示させる。表示装置１３０の表示内容を見たユーザは、室内空間１００での加温制御および換気制御の実施状況を把握できる。したがって、表示装置１３０を所持するユーザは、表示装置１３０の表示内容をもとに、室内空間１００で空気浄化制御が行われている間は室内空間１００に入らないようにすることで、化学物質で汚染された空気を吸い込まないように注意することができる。
【００４７】
また、表示装置１３０は、換気システムを操作するためにユーザが入力操作を行う入力操作部（図示せず）を備えてもよい。ユーザが表示装置１３０の入力操作部を操作して換気システムの操作内容を入力すると、表示装置１３０は、入力操作部を用いて入力された操作内容をサーバ１２０経由で制御装置４に送信する。制御装置４は、表示装置１３０から送信された操作内容をサーバ１２０経由で受信すると、この操作内容に基づいて、空調装置３および換気装置１の動作を制御する。
【００４８】
制御装置４が空気浄化制御を行うと、制御装置４の情報配信機能が加温制御および換気制御の実施状況を表示装置１３０に配信する。例えば表示装置１３０に３時間後まで空気浄化制御が実施されると表示された場合に、外部にいるユーザが、２時間３０分後に室内空間１００に戻れるよう、表示装置１３０の入力操作部を用いて２時間３０分後までに空気浄化制御を終了させる指示を入力する。ユーザが表示装置１３０の入力操作部を用いて換気システムの制御内容を入力すると、入力内容に応じた制御信号が表示装置１３０からサーバ１２０を介して制御装置に送信される。制御装置４が、表示装置１３０から送信された制御信号を受信すると、空気浄化制御を２時間３０分後までに終了させるように、空調装置３および換気装置１の動作を変更する。すなわち、制御装置４は、２時間後には空調装置３による加温制御を停止させ、その時点から２時間３０分後まで換気装置１に換気動作を行わせており、ユーザが室内空間１００に戻るまでに、揮発した化学物質を室内空間１００の外に排気することができる。また、空調装置３によって第１温度Ｔ１まで暖められた室内空間１００の空気は室外に排気されるから、室温を快適なレベルに近づけることができる。ここにおいて、表示装置１３０が、空調装置３および換気装置１を遠隔操作するための操作装置を兼用している。
【００４９】
以上説明したように、本実施形態の換気システムは、換気装置１と、測定装置（温度センサ２）と、空調装置３と、制御装置４を備える。換気装置１は、室外から室内空間１００に外気を取り入れる吸気部１１および室内空間１００の空気を室外に排気する排気部１２を備える。温度センサ２は室内空間１００の室温を測定する。空調装置３は室内空間１００の室温を調節する。制御装置４は、換気装置１および空調装置３の動作をそれぞれ制御する。制御装置４は、空調装置３の動作を制御して、冷暖房時の設定温度範囲よりも高い所定の第１温度Ｔ１以上に室温を上昇させる加温制御を行うように構成される。制御装置４は、加温制御を行っている状態で、設定温度範囲よりも高く且つ第１温度Ｔ１よりも低い所定の第２温度Ｔ２を、温度センサ２によって測定された室温が超えた分の積算値が所定の閾値以上になると、加温制御を終了する。そして、制御装置４は吸気部１１および排気部１２をそれぞれ動作させる換気制御を行うように構成される。
【００５０】
加温制御を行って室内空間１００の室温を第１温度Ｔ１以上に上昇させることで、室温が設定温度範囲に調整される場合に比べて、室内空間１００にある建材や什器などから揮発性化学物質の揮発を促すことができる。そして、加温制御を行って建材や什器などから揮発性化学物質を揮発させた状態で換気制御が行われるので、揮発した化学物質を室内空間１００の室外に排出することができる。したがって、室内空間１００にある建材や什器などに残留する揮発性化学物質の量を低減でき、室内空間１００の空気の汚染を低減することができる。また、制御装置４は、加温制御を行って揮発性化学物質の揮発を促進させる間は換気制御を停止させ、換気制御を行う間は加温制御を停止させているので、揮発性化学物質で汚染された室内の空気をより少ない消費電力で換気することができる。
【００５１】
この換気システムにおいて、室外の外気温度を取得する外気温取得部（本実施形態では制御装置４が兼用）を備えてもよい。外気温取得部が取得した外気温度が第１温度Ｔ１以上であれば、制御装置４は、空調装置３を動作させず、吸気部１１を動作させることによって、加温制御を行うように構成される。外気温度が第１温度Ｔ１以上であれば、外気を室内空間１００に導入することで、室内空間１００が暖められて、建材や什器などから揮発性化学物質の揮発が促進されるから、空気浄化制御を行うのに必要な電力を低減できる。
【００５２】
この換気システムにおいて、室外の外気温度を取得する外気温取得部（本実施形態では制御装置４が兼用）を備えてもよい。外気温取得部が取得した外気温度が、第２温度Ｔ２よりも低い所定の第３温度Ｔ３以下であれば、制御装置４は加温制御を行わないように構成される。外気温度が第３温度Ｔ３以下であれば、外気温度が第３温度Ｔ３よりも高い場合に比べて、室温を第１温度Ｔ１まで暖めるのにより多くの電力が必要になる。したがって、外気温度が第３温度Ｔ３以下であれば、加温制御を行わないことで、揮発性化学物質を揮発させるのに必要な電力を低減できる。
【００５３】
この換気システムにおいて、室内空間１００に人が存在するか否かを検知する人検知部６を備え、人検知部６が人の存在を検知している間は、制御装置４は、加温制御を行わないように構成されることも好ましい。室内空間１００に人が存在する場合には加温制御が行われないので、加温制御を行う場合に比べて、揮発性化学物質が揮発しにくくなり、揮発した化学物質を室内空間１００にいる人が吸い込む可能性が低下する。
【００５４】
この換気システムにおいて、制御装置４が、加温制御および換気制御の実施状況を外部に配信する情報配信機能を備えることも好ましく、加温制御および換気制御の実施状況を外部から把握することができる。
【００５５】
この換気システムにおいて、制御装置４の情報配信機能によって配信された加温制御および換気制御の実施状況を表示する表示装置１３０を備えることも好ましい。室内空間１００の外にいるユーザが、表示装置１３０に表示された実施状況を見ることで、室内空間１００での加温制御および換気制御の実施状況を外部から把握することができる。
【００５６】
この換気システムにおいて、空調装置３および換気装置１を遠隔操作するための操作装置（本実施形態では表示装置１３０が兼用）を備えてもよい。制御装置４は、操作装置（表示装置１３０）から送信された制御信号に基づいて、空調装置３および換気装置１の動作を制御するので、室外や建物の外にいるユーザが操作装置を操作することによって、空調装置３および換気装置１を遠隔から操作することができる。
【符号の説明】
【００５７】
１  換気装置
２  温度センサ（測定装置）
３  空調装置
４  制御装置（外気温取得部、情報配信機能）
５  操作端末
６  人検知部
１１  吸気部
１２  排気部
１００  室内空間
１２０  サーバ
１３０  表示装置（操作装置）
【図１】
2015137774.tif 000003
【図２】
2015137774.tif 000004
【図３】
2015137774.tif 000005
【図４】
2015137774.tif 000006
【図５】
2015137774.tif 000007
【図６】
2015137774.tif 000008